(57)【要約】【課題】海苔網や海苔を洗浄して珪藻による汚染を防止し、海苔網や海苔に対して活性処理を施すとともに、活性処理に有効な時間だけ浮上させておいた後に海面に戻すようにして、海苔の健康的な育成をはかることができ、コストも低廉である海苔作業船を提供すること。【解決手段】海苔養殖施設を構成する綱類Ｂが上面を通過する下方部材６と、この下方部材６上に接離自在にして載置されている上方部材７と、前記両部材間を前記綱類Ｂが通過している際に前記上方部材７を下方部材６に対して一定位置に保持する上方部材保持機構８とを有する綱類通過装置３を有し、前記上方部材６に海苔養殖施設を構成する綱類と一緒に通過する海苔網Ｂに対して洗浄液を散布する洗浄液散布装置Ｋを配設したことを特徴とする。【選択図】　　　図１
2004097042.tif 000002
【特許請求の範囲】
【請求項１】
海苔養殖施設を構成する綱類が上面を通過する下方部材と、この下方部材上に接離自在にして載置されている上方部材と、前記両部材間を前記綱類が通過している際に前記上方部材を下方部材に対して一定位置に保持する上方部材保持機構とを有する綱類通過装置を有し、前記上方部材に海苔養殖施設を構成する綱類と一緒に通過する海苔網に対して洗浄液を散布する洗浄液散布装置を配設したことを特徴とする海苔作業船。
【請求項２】
前記洗浄液散布装置は、海苔網が浸漬通過する処理液槽内の洗浄液を汲み上げて散布するポンプを有することを特徴とする請求項１に記載の海苔作業船。
【請求項３】
前記処理液槽は海苔網に対して活性処理を行う処理液が貯留されている活性処理機構の処理液槽からなり、前記綱類通過装置における前記下方部材を前記処理液槽の両側にそれぞれ配設し、前記処理液槽の上部を海苔養殖施設を構成する綱類と一緒に通過する海苔網を処理液槽中の前記処理液中に押し下げて浸漬させる海苔網浸漬体を前記両側の上方部材によって支持するように配設したことを特徴とする請求項２に記載の海苔作業船。
【請求項４】
前記洗浄液は海水であることを特徴とする請求項１から請求項３のいずれか１項に記載の海苔作業船。
【請求項５】
前記処理液は、薬剤または電気分解生成液であることを特徴とする請求項１から請求項３のいずれか１項に記載の海苔作業船。
【請求項６】
海苔網から海苔を刈取る刈取り機を搭載したことを特徴とする請求項１から請求項５のいずれか１項に記載の海苔作業船。
【発明の詳細な説明】
【０００１】
【発明の属する技術分野】
本発明は、海苔養殖場において海面部分に展張されている海苔網やこれに繁殖している海苔を洗浄したり、これらの海苔網や海苔に対して効果的な海苔の活性処理を施したり、前記海苔を刈取ったりする場合に用いられる海苔作業船に関する。
【０００２】
【従来の技術と発明が解決しようとする課題】
【０００３】
【特許文献１】特許第３１９３６５５号公報
一般に、海苔養殖は海苔網に浮子を取付けて海面に浮かすように展張して錨で止める浮き流し方式や海中に立設した支柱に海苔網を展張した支柱方式によって行なわれている。
【０００４】
また、健康な海苔を育成し、収穫率を向上させるために海苔の刈取り後の海苔網に対して活性処理を施している。
【０００５】
本出願人は特許第３１９３６５５号公報により、このような海苔養殖において、動力推進機構を有する船を海面部分に展張されている海苔網の下面をくぐるように進行させて、前記海苔網を船体の船首部から後部へ相対移動させながら海苔網に対して活性処理を施し、更に後部案内部材をもってこの活性処理に有効な時間だけ前記海苔網を浮上させた後に海面の前記展張位置へ導びいて再び展張させるようにするとともに、海苔網および海苔養殖施設を構成する綱類をスムースに通過させつつ前記綱類より上方位置に所望の部材を支持することができるとともに、構成が簡単であり、軽量で、コストも低廉な海苔養殖施設を構成する綱類通過装置を提案し、また、前記海苔養殖施設を構成する綱類通過装置を利用して海苔網浸漬体を処理液槽に対して常に所定位置関係に保持し、海苔網および前記綱類をスムーズに通過させることができ、海苔網を確実に処理液槽中の処理液中に浸漬通過させることができ、適正な処理を施すことのできる海苔網処理装置を提案し、また前記海苔養殖施設を構成する綱類通過装置を利用して活性処理や海苔の刈取りを施すことのできる海苔作業船を提案している。
【０００６】
また、海苔網に対する種付けは、３０枚程度の多数の海苔網を重ねた状態で海中に展張して海苔の胞子を付着させて行い、その後の育苗は、種付けした海苔網を５枚程度に重ねた状態で海中に展張して行うようにしている。ところが、この種付けや育苗や本張りの際に、海中に展張されている海苔網に珪藻類が付着して海苔網が汚れてしまい、海苔の成長が阻害されたり、病気に罹りやすくなり、育苗効率が低下するという不都合があった。
【０００７】
本発明はこのような点に鑑みてなされたものであり、海苔網や海苔を洗浄して珪藻による汚染を防止し、海苔網や海苔に対して活性処理を施すとともに、活性処理に有効な時間だけ浮上させておいた後に海面に戻すようにして、海苔の健康的な育成をはかることができ、コストも低廉である海苔作業船を提供することを目的とする。
【０００８】
【課題を解決するための手段】
前述した目的を達成するため本発明の海苔作業船は、海苔養殖施設を構成する綱類が上面を通過する下方部材と、この下方部材上に接離自在にして載置されている上方部材と、前記両部材間を前記綱類が通過している際に前記上方部材を下方部材に対して一定位置に保持する上方部材保持機構とを有する綱類通過装置を有し、前記上方部材に海苔養殖施設を構成する綱類と一緒に通過する海苔網に対して洗浄液を散布する洗浄液散布装置を配設したことを特徴とする。
【０００９】
このように形成したので、海苔作業船を海面部分に展張されている海苔養殖施設の海苔網の下面をくぐるように進行させて、前記海苔網を船体の船首部から後部へ相対移動させつつ、海苔養殖施設を構成する綱類と一緒に通過している海苔網に対して、綱類通過装置の上方部材に配設されている洗浄液散布装置によって洗浄液を散布することにより、海苔網およびこれに成育している海苔を良好に洗浄して、珪藻等による汚染を防止することができる。
【００１０】
また、前記洗浄液散布装置として海苔網が浸漬通過する処理液槽内の洗浄液を汲み上げて散布するポンプを用いるとよい。これにより処理液槽内の洗浄液を用いて海苔網や海苔を洗浄することができる。
【００１１】
また、前記処理液槽として海苔網に対して活性処理を行う処理液が貯留されている活性処理機構の処理液槽を用い、前記綱類通過装置における前記下方部材を前記処理液槽の両側にそれぞれ配設し、前記処理液槽の上部を海苔養殖施設を構成する綱類と一緒に通過する海苔網を処理液槽中の前記処理液中に押し下げて浸漬させる海苔網浸漬体を前記両側の上方部材によって支持するように配設するとよい。これにより処理液槽内の洗浄液を用いて海苔網や海苔の洗浄を行うことができ、更に処理液槽内の処理液によって活性処理をも施すことができる。
【００１２】
また、前記洗浄液として海水を用いるとよい。これにより処理液槽内に汲み上げられた海水を用いて海苔網や海苔の洗浄を行うことができる。
【００１３】
また、洗浄液として用いる前記処理液を薬剤または電気分解生成液とするとよい。これにより海苔網に対して、薬剤または電気分解生成液からなる処理液によって活性処理を良好に施すことができる。
【００１４】
また、海苔作業船には、海苔網から海苔を刈取る刈取り機を搭載するとよい。これにより海苔作業船を海苔網の下を潜らせる間に海苔網や海苔に対する活性処理並びに海苔の刈取りを自動的に極めて良好に行なうことができる。
【００１５】
【発明の実施の形態】
以下、本発明の実施の形態を図１から図８について説明する。
【００１６】
図１は本発明の海苔養殖施設を構成する綱類通過装置（以下、綱類通過装置という）を利用して形成されている海苔の洗浄液散布装置および活性処理装置を搭載した海苔作業船を示している。
【００１７】
図１に示すように、海苔作業船Ａによる海苔の刈取りや海苔網Ｂに対する洗浄液散布並びに活性処理は次のようにして行なわれる。
【００１８】
すなわち、スクリューＤ等の自走機構を備えた海苔作業船Ａを船尾に配置されている操舵室Ｃにおいて操船しながら、海苔作業船Ａの前方の水面中に張出すように設けられている前部案内部材Ｅによって海面に展張されている海苔網Ｂを掬い上げるようにして海苔作業船Ａを海苔網Ｂの下に潜るようにして進行させて行き、海苔の刈り取りと活性処理を施す場合には、甲板の前方部分に配設されている刈取り機Ｆにより海苔網Ｂから海苔を刈取り、続いて刈取り機Ｆの後方に配置されている海苔の活性処理装置Ｇの処理液槽Ｈ内の処理液中に海苔網Ｂを浸漬通過させることにより所定の活性処理を施し、船Ａの後方に伸縮自在にして張出された後部案内部材Ｉにより海苔網Ｂを活性処理後所定時間空中に保持して処理液を海苔網Ｂに十分に浸透させてから、再び海苔網Ｂを水面に展張させるようにしている。また、海苔網や海苔の洗浄を施す場合には、前記と同様にして海苔作業船Ａを海苔網Ｂの下に潜るようにして進行させて行き、洗浄液散布装置Ｋから洗浄液を海苔網に散布して、海苔網や海苔に付着している珪藻等を除去するものである。
【００１９】
図２から図７は海苔の活性処理装置Ｇおよび洗浄液散布装置Ｋの１実施形態を示している。
【００２０】
本実施形態における一方の海苔の活性処理装置Ｇは、海苔作業船Ａ上に設置されるとともに処理液の１例としての海水等の電気分解生成液が入れられる活性処理機構１の処理液槽２と、この処理液槽２の左右両側に設置されている１対の綱類通過装置３、３と、これらの綱類通過装置３、３によって支持されているとともに、処理液槽２の上部を通過する海苔網Ｂを処理液槽２中の海水等の電気分解生成液からなる処理液４中に上方から押し下げて浸漬させる海苔網浸漬体５とをもって形成されている。前記綱類通過装置３は、前記処理液槽２に対して前記海苔網浸漬体５を上方に浮かして支持するものである。これによって、処理液槽２と海苔網浸漬体５との間を海苔網Ｂと綱類の１種である吊り綱Ｂａ等が自由に通過できる。本実施形態における他方の洗浄液散布装置Ｋは、綱類通過装置３に配設されて、海苔網Ｂに対して洗浄液を散布するように形成されている。海苔網Ｂに対する洗浄液の散布方向は、下向き上向き等全ての方向から洗浄目的に応じて適宜に選択するよく、本実施形態においては上から下向きに設定されている。更に、海苔網Ｂに対する洗浄液の散布強さは、洗浄対象が海苔の葉体が短い育成初期の場合には散布強さを強くし、海苔の葉体が長く十分に育成している場合には、散布強さを弱くするとよい。これらの海苔網Ｂと吊り綱Ｂａとは図２、図３、図６および図７において羽根矢印方向に進行する。
【００２１】
本実施形態においては、海苔作業船Ａ上に掬い上げた吊り綱Ｂａを下から支えて後方へ案内する左右１対の断面円形のほぼ水平な案内部材（下方部材）６、６の間に処理液槽２を設置している。そして、各案内部材６上にそれぞれ綱類通過装置３を配設している。本実施形態の綱類通過装置３においては、前記案内部材６が吊り綱Ｂａが上面を通過する下方部材となる。この案内部材６上に上方部材７が接離自在にして載置されているとともに、上方部材保持機構８によって上方部材７と案内部材６との間を吊り綱Ｂａが通過している際に上方部材７を案内部材６に対して一定位置に保持するようにされている。前記上方部材７は、２本の平行な主ロツド９、９の前後２箇所に下方に突出するように湾曲する下方湾曲部１０、１０を形成し、各下方湾曲部１０の湾曲途中をそれぞれ連結材１１、１１によって連結して一体化し、前後２本の連結材１１、１１を主ロツド９と平行で下方に突出するように若干湾曲している中間ロツド１２により連結して形成されており、左右２つの下方湾曲部１０、１０によって案内部材６を跨ぐようにして載置されている。また、各主ロツド９の前方端は１箇所に連結され、そこから吊り綱Ｂａを確実に下方湾曲部１０と案内部材６との間に導くガイドロツド９ａが前方に向けて延設されている。各下方湾曲部１０は、吊り綱Ｂａの通過を可能とするとともに、案内部材６と係合することにより上方部材７の左右方向への移動を阻止する作用を発揮する。また、案内部材６の前記各中間ロツド１２の後方位置には、それぞれ中間ロツド１２と係合して上方部材７の後方への移動を阻止する作用を発揮するストッパ１３が突設されている。更に、上方部材７はその自重により上方への移動を阻止されるようになっている。従って、本実施形態における上方部材保持機構８は、案内部材６と各下方湾曲部１０との係合部、中間ロツド１２とストッパ１３との係合部および上方部材７の自重とにより形成されている。
【００２２】
また、前記海苔網浸漬体５は、左右１対の上方部材７、７の主ロツド９、９間に連結ロツド１４を掛け渡し、この連結ロツド１４から処理液槽２の処理液貯留部１８内に延びるように複数本（本実施形態においては４本）の略Ｕ字形をしたロツド状の浸漬バー１５、１５を延設し、各浸漬バー１５の後端部を後端部材１６により連結して形成されている。この処理液槽２は海苔網Ｂの横幅より広い幅を有する略長方形状に形成されており、内部に立設した隔壁１７により内側の処理液４が貯留される処理液貯留部１８とその外側のオーバーフロー部１９とに分割されている。処理液貯留部１８内には後述する活性処理機構１の電解槽から処理液４が供給されて、常に所定量の処理液４が貯留されるように制御されている。また、図３および図６の鎖線に例示するように、処理液４の左右方向への揺れを防止するために、各浸漬バー１５の上部にパンチングメタルなどにより多数の孔が形成された平板状の処理液揺動防止部材２０を立設するようにして固着するとよい。
【００２３】
次に、活性処理機構１を図８により説明する。本実施形態の活性処理機構１は、海水等を電気分解して電気分解生成液４を生成する海水電気分解手段３２と、海苔網Ｂと電気分解生成液４とを接触させて活性処理を施す接触処理手段３３とによって形成されている。
【００２４】
一方の海水電気分解手段３２は、電解槽３４を備えている。この電解槽３４には、予め所定濃度に生成された所定量の電解液が充填供給されるようになっている。また、図８に示すように、ポンプ３５によって切替弁３５ａおよび吸水管３６ａを介して海水３７を汲み上げることができるようにして、海水を現地調達できるようにされている。また、電解槽３４内には陽極板３８と陰極板３９とが対面配置されており、それぞれ図示しない電源供給手段より正電位および負電位が供給されるように形成されている。これらの陽極板３８と陰極板３９との間には、電解槽３４を必要に応じて陽極槽４１と陰極槽４２とに分割する隔壁４０が着脱自在に形成されている。この隔壁４０を設置した場合には、一方の陽極槽４１において超酸性溶液が生成され、他方の陰極槽４２において超アルカリ性溶液が生成され、隔壁４０を設置しない場合には両極３８、３９の間に次亜塩素酸ソーダを含む溶液が生成される。陽極槽４１と陰極槽４２とからは、それぞれポンプ４３、４４を備えた供給管４５、４６を通して超アルカリ性溶液および超酸性溶液若しくは次亜塩素酸ソーダを含む溶液が１個の処理液貯留タンク４７に供給されるように形成されている。更に、この処理液貯留タンク４７からポンプ４８を備えた供給管４９により処理液が処理液槽２の処理液貯留部１８に供給されるように形成されている。また、処理液貯留タンク４７には活性処理の目的に応じて、超アルカリ性溶液、超酸性溶液および次亜塩素酸ソーダを含む溶液のいずれか１種を選択して供給するようにされる。
【００２５】
次に、洗浄液散布装置Ｋを図２から図６により説明する。洗浄液散布装置Ｋの洗浄液としては、種々のものを用いることができる。例えば、養殖現場で直接調達できる海水や淡水、海苔網Ｂや海苔に対して施される活性処理に用いられる酸剤等の薬剤や活性剤等の処理液、海水や淡水に塩酸を混合させた溶液からの電気分解生成液等を洗浄目的、洗浄対象等に応じて選択するとよい。本実施形態の洗浄液散布装置Ｋは綱類通過装置３の上方部材７に支持されており、洗浄水として活性処理機構１の処理液槽２内の処理液４を用いて海苔網Ｂに向けて散布するように形成されている。即ち、左右１対の上方部材７、７の主ロツド９、９間に掛け渡されている連結ロツド１４に取付られている海苔網浸漬体５の複数の浸漬バー１５の上部に設けた処理液揺動防止部材２０上に掛け渡すようにして洗浄液としての処理液４を供給する駆動源付の洗浄液供給ポンプ５２を装着し、この洗浄液供給ポンプ５２の一方の入口側に処理液４を汲み上げる汲み上げパイプ５３を接続し、他方の出口側に散布パイプ５４を接続している。この洗浄液供給ポンプ５２としてはバッテリやエンジン等の自家駆動源付とされている。また、一方の汲み上げパイプ５３は、その汲み上げ端部を処理液貯留部１８内の処理液４中に水没させらるように形成されている。他方の散布パイプ５４は、処理液貯留部１８の全横幅に亘る長さに形成されているとともに、前方のオーバーフロー部１９の位置において複数の浸漬バー１５の間に掛け渡すように配設されている。散布パイプ５４の下面には、海水を散布するための多数の散布ノズル５５が配設されている。また、洗浄液供給ポンプ５２として水中ポンプを用いて、海苔網浸漬体５の浸漬バー１５、１５に取り付けて処理液貯留部１８内の処理液４中に設置して、ホース５３を省略して直接海水を汲み上げるように形成してもよい。処理液槽２の処理液貯留部１８への処理液４の供給は、図８に示すシステムにより行われる。
【００２６】
次に、前述した構成からなる本実施形態の作用を説明する。
【００２７】
先ず、洗浄液散布装置Ｋを用いて海苔網Ｂや海苔を洗浄する場合を説明する。例えば、海水を洗浄液として用いて洗浄を行う場合には、ポンプ３５、切替弁３５ａおよび吸水管３６ｂを介して処理液槽２の処理液貯留部１８へ必要量の海水を供給させるようにする。海苔養殖施設に海苔網Ｂを複数枚重ねて育苗してる状態において、海苔作業船Ａが海苔網Ｂの下に潜って行くと、海苔網Ｂが船上に掬い揚げられ、海苔網Ｂの吊り綱Ｂａは、案内部材６上を後方に移動し、綱類通過装置３の主ロツド９の下方湾曲部１０の部分に達すると、図７に示すように、海苔作業船Ａの進行力により綱類通過装置３、海苔網浸漬体５および洗浄液散布装置Ｋの自重の総和に抗して下方湾曲部１０を持ち上げるようにしながら後方へ移動することにより下方湾曲部１０と案内部材６との間をスムースに通過する。この下方湾曲部１０と案内部材６との間を通過するのは吊り綱Ｂａだけであるから、吊り綱Ｂａによる上方部材７を持ち上げようとする上向きの力は比較的小さいので、前記上方部材保持機構８によって上方部材７は常に案内部材６に対して一定位置に保持されることとなる。その後、吊り綱Ｂａは同様にして各上方部材７の下方湾曲部１０と案内部材６との間を通過して行く。このとき洗浄液供給ポンプ５２を駆動させて、汲み上げパイプ５３から処理液槽２の処理液貯留部１８内の海水を汲み上げ、図３および図５に示すように、散布パイプ５４の多数のノズル５５より海水を海苔網Ｂに向けて下向きに散布して、当該海苔網Ｂおよび海苔に付着している珪藻等のゴミを確実に除去することができる。珪藻等を除去された海苔網Ｂは船の後部に進み、海面に再び展張される。海苔の葉体がほとんどないか若しくは短い種付時においては、ノズル５５からの散水強さを強くし、海苔の葉体が成長して長くなっている育苗時および本張時には、ノズル５５からの散水強さを弱く調整するとよい。
【００２８】
また、前記実施形態においては、洗浄液として海苔に優しいとともに無尽蔵に存在する海水を用いているので、海苔に害を与えることなく洗浄を施すことができ、しかもコストも低廉に抑えることができる。勿論、海水以外の洗浄液を用いることもできる。
【００２９】
次ぎに、活性処理機構１において、電解槽３４内に隔壁４０を設置して超酸性溶液または超アルカリ性溶液を処理液槽４に供給する場合を説明する。海苔の養殖現場において、陽極板３８および陰極板３９に正電位および負電位を印可すると、電解槽３４内において海水の電気分解が行われ、隔壁４０が存在するために陽極槽４１内にＨＣｌからなるｐＨ２．７以下の超酸性溶液が生成され、陰極槽４２内にＮａＯＨからなるｐＨｌｌ以上の超アルカリ性溶液が生成される。このようにして生成された超酸性溶液および超アルカリ性溶液のいずれか一方は、それぞれ陽極槽４１および陰極槽４２からポンプ４３、４４を備えた供給管４５、４６を通して処理液貯留槽４７に一旦貯留され、その後ポンプ４８によって供給管４９を通して処理液槽２の処理液貯留部１８に供給される。また、超酸性溶液および超アルカリ性溶液は海苔の葉体の状態に応じて海水を用いて適宜に薄めて用いるとよい。
【００３０】
次に、活性処理機構１において、電解槽３４内に隔壁４０を設置しないで次亜塩素酸ソーダを含む溶液を処理液槽４に供給する場合を説明する。前記と同様にして陽極板３８および陰極板３９に正電位および負電位を印可すると、電解槽３４内において海水の電気分解が行われ、隔壁４０が存在しないめに陽極槽４１内の陽極板３８および陰極板３９の間に弱アルカリ性の次亜塩素酸ソーダ（ＮａＣｌＯ）を含む溶液が生成される。このようにして生成された弱アルカリ性の次亜塩素酸ソーダ（ＮａＣｌＯ）を含む溶液は、電解槽３４からポンプ４３、４４を備えた供給管４５、４６（いずれか一方でもよい）を通して処理液貯留槽４７に一旦貯留され、その後ポンプ４８によって供給管４９を通して処理液槽２の処理液貯留部１８に供給される。
【００３１】
このようにして処理液槽２内に海水の電気分解生成液からなる処理液４が充填されている状態にして、海苔作業船Ａが海苔網Ｂの下に潜って行くと、海苔網Ｂが処理液槽２の処理液貯留部１８内に海苔網浸漬体５の浸漬バー１５、１５によって上から下方に押付けられて強制的に処理液４内に浸漬させられて、適正な活性処理が施される。
【００３２】
このようにして綱類通過装置３は吊り綱Ｂａの通過を許容するとともに、処理液槽２と海苔網浸漬体５との相対位置関係を一定位置に保持することができ、すなわち横揺れ、立て揺れを防止することができ、そして、海苔網Ｂと海苔網浸漬体５との相対位置関係をも一定位置に保持することができるので、海苔網Ｂに対する活性処理を常に適正なものとすることができる。更に、本実施の形態においては、浸漬バー１５に固着されている処理液揺動防止部材２０が、海苔網作業船Ａと一緒に処理液槽２が揺れた時に、処理液槽２内の処理液４の揺れを小さく抑えることができ、これにより処理液４の不規則な移動を確実に防止することができる。これにより処理液４の揺れに起因する重心の変動量を小さく抑えて、海苔作業船Ａの安定性を向上させ、かつ、処理液槽２内において海苔網Ｂを確実に処理液４内に浸漬させることにより、海苔網Ｂに対する活性処理を常に均一に施すことができる。本実施形態における綱類通過装置３は、ロツド材を組み合わせることにより形成されているために、複雑なメカニズムが不要となり、構成が簡単で、軽量であり、コストが非常に低廉となり、しかも吊り綱Ｂａをスムースに通過させることができるものである。また、海苔網浸漬体の構成は前記実施形態に限定されるものではなく、変更可能である。
【００３３】
このように本実施形態によれば、海苔作業船Ａの進行に伴って、刈取り機Ｆにより海苔網Ｂから海苔が刈取られ、続いて海苔の活性処理装置Ｇにより、海苔網Ｂが海苔網浸漬体５の下を潜って処理液４に浸漬される間に、刈取り後の海苔網Ｂに対して海水の電気分解生成液による活性処理を均一に施し、更に、船尾より張り出している後部案内部材Ｉの後端部まで相対移動する間に海水の電気分解生成液からなる処理液４を海苔の細胞内に十分に浸透させ、また、葉体に付着している雑菌を殺菌させることによって適正な活性処理が施される。また、後部案内部材Ｉを縮めておいて、海水の電気分解生成液による活性処理を均一に施した後に、海苔網を海面に戻して展張させるようにしてもよい。
【００３４】
このように本発明の海苔作業船Ａを用いて海苔の活性処理方法を施すことにより、海苔の刈取り後の海苔網Ｂに対して、海苔作業船Ａ上の空中にある間に海水の電気分解生成液を用いて活性処理を施すとともに、活性処理に有効な時間だけ浮上させておいた後に海面に戻すようにして、海苔の健康的な育成をはかることができる。また、海水の電気分解生成液を用いているので、海苔網に付着して海水中に持ち込まれる海水の電気分解生成液は元々海水であったものであるために海水の汚染を誘発することもなく環境にも優しいものとなり、環境破壊の要因が全くない素材を用いて海苔の活性処理を施すことができ、更に活性処理用の特別な酸剤等を用意する必要がなく、活性処理後に残留している海水の電気分解生成液は海中に戻すことができ、コストも低廉となり、取り扱いも容易となる。更に、電気分解処理液として次亜塩素酸ソーダを含む溶液を用いると、次亜塩素酸が短時間に分解してしまい環境に悪影響を与えることがない。また、船で現場まで酸剤を運んだり酸処理後の酸剤を持ち帰る必要もなくなり、船の軽量化および高速移動化を図ることができる。
【００３５】
更に、海水の電気分解生成溶液の他に補助的に酸剤やアルカリ剤を用いたり、ｐＨ調整を行うようにしてもよいし、海水の電気分解生成溶液に代えて酸剤等の薬剤を用いるようにしてもよい。
【００３６】
このように本実施形態においては、海苔作業船Ａを推進させるだけで、案内部材によって海水中に展張されている海苔網Ｂを船上に抄い上げ、効果的な洗浄処理や活性処理を自動的に施して、再び海水中に展張させることができ、海苔の育苗効率や収穫率を向上させるとともに、海苔の健康的な育成を促がすことができ、作業効率を向上させ、省人、省力化を図ることができる。
【００３７】
なお、前記実施形態においては活性処理機構１として処理液槽２に海苔網Ｂを浸漬けるようにしたが、例えば電気分解生成液を海苔網Ｂに噴射するようにしてもよい。
【００３８】
また、本発明は、前記実施形態に限定されるものではなく、必要に応じて変更することができる。
【００３９】
【発明の効果】
以上説明したように本発明の海苔作業船は構成されるものであるから、海苔網や海苔を洗浄して珪藻による汚染を防止し、船上の空中にある間に海苔網や海苔に対して活性処理を施すとともに、活性処理に有効な時間だけ浮上させておいた後に海面に戻すようにして、海苔の健康的な育成をはかることができ、コストも低廉である等の効果を奏する。
【００４０】
具体的には、海苔作業船を海面部分に展張されている海苔養殖施設の海苔網の下面をくぐるように進行させて、前記海苔網を船体の船首部から後部へ相対移動させつつ、海苔養殖施設を構成する綱類と一緒に通過している海苔網に対して、海苔作業船上の空中にある間に、綱類通過装置の上方部材に配設されている洗浄液散布装置によって洗浄液を上方から散布することにより、海苔網およびこれに成育している海苔を良好に洗浄して、珪藻等による汚染を防止することができる。
【００４１】
また、前記洗浄液散布装置として海苔網が浸漬通過する処理液槽内の洗浄液を汲み上げて散布するポンプを用いると、処理液槽内の洗浄液を用いて海苔網や海苔を洗浄することができる。
【００４２】
また、前記処理液槽として海苔網に対して活性処理を行う処理液が貯留されている活性処理機構の処理液槽を用いるようにして活性処理機構を設けることにより、処理液槽内の洗浄液を用いて海苔網や海苔の洗浄を行うことができ、更に処理液によって活性処理をも施すことができる。
【００４３】
また、前記洗浄液として海水を用いるとよい。これにより処理液槽内に汲み上げられた海水を用いて海苔網や海苔の洗浄を行うことができる。
【００４４】
また、前記処理液を薬剤または海水の電気分解生成液とすることにより、薬剤または海水の電気分解生成液からなる処理液によって活性処理を良好に施すことができる。
【００４５】
また、海苔作業船に、海苔網から海苔を刈取る刈取り機を搭載することにより、海苔作業船を海苔網の下を潜らせる間に海苔網や海苔に対する活性処理並びに海苔の刈取りを自動的に極めて良好に行なうことができる。
【図面の簡単な説明】
【図１】本発明に係る海苔の活性処理装置を搭載した海苔作業船の構成を示す側面図
【図２】本発明に係る海苔の活性処理装置の実施の形態の１例をスケルトン的に示す平面図
【図３】図２のＡ−Ａ線に沿った断面図
【図４】図２のＢ−Ｂ線に沿った断面図
【図５】洗浄液散布装置の概略を示す斜視図
【図６】図２に示す海苔の活性処理装置の要部を示す斜視図
【図７】綱類通過装置の綱類通過時の要部を示す拡大側面図
【図８】活性処理機構の１例を示す構成図
【符号の説明】
１　海苔の活性処理機構
２　処理液槽
３、３ａ　綱類通過装置
４　処理液
５　海苔網浸漬体
６、６ａ　案内部材
７、７ａ　上方部材
８、８ａ　上方部材保持機構
３２　塩水の電気分解手段
５２　洗浄液供給ポンプ
Ａ　海苔作業船
Ｂ　海苔網
Ｂａ　吊り綱
Ｆ　刈取り機
Ｇ　海苔の活性処理装置
Ｉ　後部案内部材
Ｋ　洗浄液散布装置
【図１】
2004097042.tif 000003
【図２】
2004097042.tif 000004
【図３】
2004097042.tif 000005
【図４】
2004097042.tif 000006
【図５】
2004097042.tif 000007
【図６】
2004097042.tif 000008
【図７】
2004097042.tif 000009
【図８】
2004097042.tif 000010